(57)【要約】【課題】テーブルを並べた際や壁際に設置した際の脚周辺の外観を良好にする。【解決手段】テーブルは、天板１と、その天板１を支持する複数の脚３とを備えている。脚２は、上下に延びる脚支柱９と、脚支柱９の上端と天板１とに連結されるブラケット８と、脚支柱９においてブラケット８の下方に設けられたネジ取付け部１４と、ブラケット８とネジ取付け部１４とを上下方向に締結する固定用ネジ１４ａ，１５と、を備えている。また、脚２は、ブラケット８とネジ取付け部１４との間の広狭を調整することで、天板１に対する脚支柱９の取付け角度を調整する脚角度調整機構４０を備えている。【選択図】図６
2019165844.tif 000002
【特許請求の範囲】
【請求項１】
天板と、その天板を支持する複数の脚とを備えたテーブルであって、
前記脚は、上下に延びる脚支柱と、前記脚支柱の上端と前記天板とに連結されるブラケットと、前記脚支柱において前記ブラケットの下方に設けられたネジ取付け部と、前記ブラケットと前記ネジ取付け部とを上下方向に締結する固定用ネジと、を備え、
前記ブラケットと前記ネジ取付け部との間の広狭を調整することで、前記天板に対する前記脚支柱の取付け角度を調整する脚角度調整機構を備えている、テーブル。
【請求項２】
前記脚角度調整機構は、平面視で前記固定用ネジとは異なる位置で、前記ブラケットと前記ネジ取付け部との間の距離を調整する１つ又は複数の調整用ネジを備えている、請求項１に記載のテーブル。
【請求項３】
前記脚は、前記脚角度調整機構による角度調整がされておらず、かつ前記固定用ネジが締め付けられた状態で、前記脚支柱が前記天板の内側に向かって傾斜するように構成されており、
少なくとも１つの前記調整用ネジは、前記固定用ネジよりも前記天板の内側寄りの位置に配置されている、請求項２に記載のテーブル。
【請求項４】
前記脚角度調整機構は、前記ブラケットと前記ネジ取付け部との間に配置される１つ又は複数の弾性部材をさらに備えている、請求項２又は３に記載のテーブル。
【請求項５】
前記脚角度調整機構は、前記固定用ネジと、前記ブラケットと前記ネジ取付け部との間に配置される１つ又は複数の弾性部材とを備え、１つ又は複数の前記固定用ネジの締付け具合によって前記弾性部材を変形させることで、前記ブラケットと前記ネジ取付け部との間の広狭を調整する、請求項１に記載のテーブル。
【発明の詳細な説明】
【技術分野】
【０００１】
本願発明は、天板と、その天板を支持する複数の脚を備えたテーブルに関するものである。
【背景技術】
【０００２】
テーブルは、天板を複数の棒状の脚で支持した構成になっていることが殆どであり、平面視形状は四角形のものが多い（例えば特許文献１参照。）。そして、２つのテーブルを左右に並べたり背中合わせに並べたりして使用されることがある。２つのテーブルを並べた際には、テーブル同士が隣接する箇所で、一方のテーブルの脚と他方のテーブルの脚とが接近して配置される。また、テーブルが壁際に設置された場合には、脚が壁に接近して配置される。
【先行技術文献】
【特許文献】
【０００３】
【特許文献１】特開２００４−５７３４５号公報
【発明の概要】
【発明が解決しようとする課題】
【０００４】
このようなテーブルにおいて、脚は天板に対して直角になるように取り付けられるが、脚を構成する各部品の加工精度により、脚の直角度にばらつきが生じる。しかし、脚の直角度にばらつきが生じていると、テーブルを並べた際に互いに近接する脚同士の隙間や、テーブルを壁際に設置した際に壁と脚との隙間が上下方向で均一にならず、外観が悪くなるという問題があった。また、このような問題は、近年増加傾向にあるハイテーブルではさらに顕著になる。
【０００５】
本願発明は、このような現状を改善すべく成されたものである。
【課題を解決するための手段】
【０００６】
本願発明のテーブルは、天板と、その天板を支持する複数の脚とを備えたテーブルであって、前記脚は、上下に延びる脚支柱と、前記脚支柱の上端と前記天板とに連結されるブラケットと、前記脚支柱において前記ブラケットの下方に設けられたネジ取付け部と、前記ブラケットと前記ネジ取付け部とを上下方向に締結する固定用ネジと、を備え、前記ブラケットと前記ネジ取付け部との間の広狭を調整することで、前記天板に対する前記脚支柱の取付け角度を調整する脚角度調整機構を備えているものである。
【０００７】
本願発明のテーブルによれば、脚角度調整機構を用いて脚のブラケットとネジ取付け部との間の広狭を調整することで天板に対する脚支柱の取付け角度を容易に調整でき、テーブルを並べた際や壁際に設置した際の脚周辺の外観を良好にできる。また、脚の上下長さが比較的長いハイテーブルにおいては、脚の傾きの影響が顕著に外観に現れるので、本願発明は特に有効である。
【０００８】
上記テーブルにおいて、前記脚角度調整機構は、平面視で前記固定用ネジとは異なる位置で、前記ブラケットと前記ネジ取付け部との間の距離を調整する１つ又は複数の調整用ネジを備えているようにしてもよい。
【０００９】
このような構成によれば、固定用ネジでブラケットとネジ取付け部とを強固に固定した上で、調整用ネジの捩じ込み具合によってブラケットとネジ取付け部との間の距離を調整することで、天板に対する脚支柱の取付け角度を容易に調整できる。ここで、脚角度調整機構における固定ネジによる固定箇所及び調整用ネジによる調整箇所の位置や数量は、適宜変更することが可能である。
【００１０】
また、このような構成において、さらに、前記脚は、前記脚角度調整機構による角度調整がされておらず、かつ前記固定用ネジが締め付けられた状態で、前記脚支柱が前記天板の内側に向かって傾斜するように構成されており、少なくとも１つの前記調整用ネジは、前記固定用ネジよりも前記天板の内側寄りの位置に配置されているようにしてもよい。
【００１１】
このような構成によれば、固定用ネジでブラケットとネジ取付け部とを強固に固定した上で、平面視で固定用ネジよりも天板の内側寄りの位置におけるブラケットとネジ取付け部との間の隙間を調整用ネジで広げることで、天板に対する脚支柱の直角度を簡単な構成且つ容易に調整できる。
【００１２】
また、上記テーブルにおいて、前記脚角度調整機構は、前記ブラケットと前記ネジ取付け部との間に配置される１つ又は複数の弾性部材をさらに備えているようにしてもよい。
【００１３】
このような構成によれば、固定用ネジでブラケットと脚支柱とを固定した上で、調整用ネジの捩じ込みによって弾性部材を変形させることで、天板に対する脚支柱の取付け角度を容易に調整できる。
【００１４】
また、本願発明のテーブルにおいて、前記脚角度調整機構は、前記固定用ネジと、前記ブラケットと前記ネジ取付け部との間に配置される１つ又は複数の弾性部材とを備え、１つ又は複数の前記固定用ネジの締付け具合によって前記弾性部材を変形させることで、前記ブラケットと前記ネジ取付け部との間の広狭を調整するようにしてもよい。
【００１５】
このような構成によれば、固定用ネジの締付け具合によって天板に対する脚支柱の取付け角度を容易に調整できるとともに、簡単な構成で脚角度調整機構を実現できる。
【発明の効果】
【００１６】
本願発明のテーブルは、テーブルを並べた際や壁際に設置した際の脚周辺の外観を良好にできる。
【図面の簡単な説明】
【００１７】
【図１】実施形態に係るテーブルを示しており、（Ａ）は全体の斜視図、（Ｂ）は分離斜視図である。
【図２】テーブルを並べた状態を示す図であり、（Ａ）は左右に並べた状態、（Ｂ）は背中合わせに並べた状態を示す。
【図３】（Ａ）は天板を仮想線で表示した平面図、（Ｂ）は骨組みの部分的な斜視図である。
【図４】（Ａ）は脚の分離斜視図、（Ｂ）はブラケットを下方から見た斜視図、（Ｃ）は脚とエンドフレームとの分離斜視図である。
【図５】（Ａ）は脚とエンドフレームとの分離斜視図、（Ｂ）はブラケットとエンドフレームとの連結部を下方から見た斜視図、（Ｃ）はブラケットとエンドフレームとの裏返した状態の分離斜視図である。
【図６】ブラケットと脚支柱との連結部を示す図であり、（Ａ）はブラケットの平面図、（Ｂ）は脚支柱の平面図、（Ｃ）は脚角度調整前のＡ−Ａ位置断面図、（Ｄ）は脚角度調整後のＡ−Ａ位置断面図である。
【図７】他の実施形態における脚のブラケットと脚支柱との連結部を示す図であり、（Ａ）はブラケットの平面図、（Ｂ）は脚支柱の平面図、（Ｃ）は（Ａ）のＢ−Ｂ位置断面図、（Ｄ）は（Ａ）のＣ−Ｃ位置断面図である。
【図８】さらに他の実施形態における脚のブラケットと脚支柱との連結部を示す図であり、（Ａ）はブラケットの平面図、（Ｂ）は脚支柱の平面図、（Ｃ）は（Ａ）のＤ−Ｄ位置断面図、（Ｄ）は（Ａ）のＥ−Ｅ位置断面図である。
【図９】さらに他の実施形態における脚のブラケットと脚支柱との連結部を示す図であり、（Ａ）はブラケットの平面図、（Ｂ）は脚支柱の平面図、（Ｃ）は脚角度調整前のＦ−Ｆ位置断面図、（Ｄ）は脚角度調整後のＦ−Ｆ位置断面図である。
【図１０】さらに他の実施形態における脚のブラケットと脚支柱との連結部を示す図であり、（Ａ）はブラケットの平面図、（Ｂ）は脚支柱の平面図、（Ｃ）は（Ａ）のＧ−Ｇ位置断面図、（Ｄ）は（Ａ）のＨ−Ｈ位置断面図である。
【図１１】さらに他の実施形態における脚のブラケットと脚支柱との連結部を示す図であり、（Ａ）はブラケットの平面図、（Ｂ）は脚支柱の平面図、（Ｃ）は（Ａ）のＩ−Ｉ位置断面図である。
【図１２】さらに他の実施形態における脚のブラケットと脚支柱との連結部を示す図であり、（Ａ）はブラケットの平面図、（Ｂ）は脚支柱の平面図、（Ｃ）は（Ａ）のＪ−Ｊ位置断面図である。
【図１３】さらに他の実施形態における脚のブラケットと脚支柱との連結部を示す図であり、（Ａ）はブラケットの平面図、（Ｂ）は脚支柱の平面図、（Ｃ）は（Ａ）のＫ−Ｋ位置断面図、（Ｄ）は（Ａ）のＬ−Ｌ位置断面図である。
【図１４】（Ａ）は図６の固定用ボルトを植込みボルト及びナットに取り換えた変形例を示す断面図、（Ｂ）は図１１の固定用ボルトを植込みボルト及びナットに取り換えた変形例を示す断面図である。
【図１５】さらに他の実施形態における脚のブラケットと脚支柱との連結部を示す図であり、（Ａ）はブラケットの平面図、（Ｂ）は脚支柱の平面図、（Ｃ）は脚角度調整前のＭ−Ｍ位置断面図、（Ｄ）は脚角度調整後のＭ−Ｍ位置断面図である。
【発明を実施するための形態】
【００１８】
１．テーブルの概要
本願発明の第１実施形態について図面に基づいて説明する。本実施形態のテーブルは、長方形の天板１を有している。また、各方向を特定するため、前後・左右の文言を使用するが、図１に示すように、テーブルにおける天板１の長手方向を前後方向とし、これと直交した方向を左右方向と定義している。
【００１９】
既述のとおり、本実施形態のテーブルは長方形の仕様であり、平面視長方形の天板１と、天板１を支える４本の脚２とを有している。脚２は、天板１のコーナー部（四隅部）に位置しており、脚２上端が天板１の下面と連結することで、４本の脚２が天板１を支持している。
【００２０】
複数のテーブルが、図２（Ａ）に示すように左右方向に並べられたり、図２（Ｂ）に示すように前後方向に並べたりすると、テーブル同士が隣接する位置で、テーブル一方のテーブルの脚２と他方のテーブルの脚２とが互いに近接配置される。
【００２１】
天板１の左右方向に延びる中心線に沿った部位の左右２か所には、平面視四角形（正方形）の配線穴６が空いている。天板１は木製であり、例えば図１（Ｂ）に示すように、天板１の下面には、短辺の近くに配置された前後長手のエンドフレーム３と、左右のエンドフレーム３の間に配置された左右長手の補強桟４とが重ねられており、エンドフレーム３がボルト５（図３（Ｂ）参照）で固定されている（エンドフレーム３と補強桟４との両方を天板１に固定してもよい。）。
【００２２】
補強桟４とエンドフレーム３とは、溶接によって固定されていてもよいし、ボルトで固定してもてもよい。ボルトで固定する場合は、例えば、エンドフレーム３に、補強桟４の内部に嵌入する角形のボス体を横向きに突設して、補強桟４に下方から挿通したボルトを補強桟４に捩じ込む方式を採用することが可能であり、この場合は、補強桟４とエンドフレーム３とを強固に固定できる。
【００２３】
補強桟４とエンドフレーム３と脚２によって、テーブルの骨組みが構成されている。天板１は木製のものを使用しているが、スチール製のものを使用したり、紙製等の軽量コア部材の上下両面に金属板（スチール板）を接着した積層品を使用したりすることも可能である。
【００２４】
２．脚の構造
例えば図４に示すように、脚２は、天板１の下面に固定されるブラケット８と、ブラケット８に取り付けた脚支柱９と、脚支柱９の下端に取り付けた捩じ込み式のアジャスタ２５とで構成されている。なお、各脚２において、アジャスタ２５に替えてキャスター（車輪）を脚支柱９に取り付けることも可能である。
【００２５】
ブラケット８は、例えばアルミを材料にしたダイキャスト品であり（樹脂の成形品でもよい）、平面視正方形の基部８ａを有している。そして、基部８ａの１つのコーナー部の箇所に、平面視正方形の支柱取付け部１０を一体に設けて、支柱取付け部１０に設けた角形の下向きボス１１に、角管状の脚支柱９を下方から嵌め込んでいる。支柱取付け部１０の１つの対角線と基部８ａの１つの対角線とが重なっており、支柱取付け部１０は、部分的に基部８ａからはみ出た状態になっている。支柱取付け部１０は、下向きボス１１の上端部から外向きに突出するフランジ部１０ａを備えている。
【００２６】
下向きボス１１は上向きに開口した箱状の形態を成しており、内部にはボルト受け座１２（図４（Ａ）、図６等参照）が設けられている。ボルト受け座１２に、上下に開口した固定用ボルト挿通穴１３と調整用雌ネジ穴４１が形成されている。他方、脚支柱９の内部のうちその上部には、ネジ取付け部としての角形のナット板１４が溶接によって固定されている。下向きボス１１の下面は、ナット板１４に対向して配置される。
【００２７】
固定用ボルト挿通穴１３に上方から挿通した固定用ボルト１５をナット板１４の固定用雌ネジ穴１４ａに捩じ込むことにより、脚支柱９がブラケット８に固定されている。固定用ボルト１５を締め込むことで、支柱取付け部１０のフランジ部１０ａと脚支柱９の上端面部９ａとの間に締付け力が作用して脚支柱９がブラケット８に固定される一方で、下向きボス１１とナット板１４の間には空間（隙間）が形成されている。
【００２８】
ボルト受け座１２において、調整用雌ネジ穴４１は、固定用ボルト挿通穴１３よりも基部８ａ寄りの位置に配置されている。すなわち、調整用雌ネジ穴４１は固定用ボルト挿通穴１３よりも天板１の内側寄りの位置に配置されている。調整用雌ネジ穴４１には、上方から調整用ボルト４２が捩じ込まれている。調整用ボルト４２の先端部は下向きボス１１の下面から下向きに突出しており、調整用ボルト４２の先端はナット板１４の上面に当接している。
【００２９】
本実施形態では、調整用雌ネジ穴４１と調整用ボルト４２は、天板１に対する脚支柱９の直角度を調整可能な脚角度調整機構４０の調整用ネジを構成し、固定用雌ネジ穴１４ａと固定用ボルト１５は、固定用ネジを構成している。脚角度調整機構の調整用ネジ（脚支柱９の直角度の調整方法については後述する。
【００３０】
図４（Ｂ），（Ｃ）に明示するように、ブラケット８の基部８ａには、下向きボス１１と繋がった下向きの脊梁部１６が形成されており、これにより、ブラケット８としての強度が確保されて、脚支柱９を偏心して設けても大きな荷重を支え得るようになっている。脊梁部１６が下向きボス１１と繋がっているため、脚支柱９の上部には、脊梁部１６との干渉を回避する切欠き部１７が形成されている。切欠き部１７は、脊梁部１６の外形よりも大きく切り欠かれている。脊梁部１６は、上向きに開口した溝形になっており、中心線に沿って補強リブ１８が形成されている。また、ブラケット８のうち脊梁部１６を挟んだ両側はフランジの状態になっている。
【００３１】
ブラケット８における基部８ａのうち、中心を挟んで支柱取付け部１０と反対側のコーナー部には、エンドフレーム３に外から嵌まり込む略角形の突部１９が一体に形成されている。突部１９はエンドフレーム３と同じ方向に向いているので、基部８ａの対角方向ではなくて、基部８ａを構成する１つの辺と直交した方向に向いている。
【００３２】
天板１は４本の脚２で支持されるが、前後の脚２は脚支柱９とブラケット８との位置関係が前後逆になっているので、脚２は、突部１９の向きが平面視で９０度相違した２種類が使用されている。また、突部１９は、例えば図４に示すように、基部８ａに繋がった第１部分１９ａと、第１部分１９ａから突出した第２部分１９ｂとの２段式になっており、第２部分１９ｂがエンドフレーム３に嵌まり込むようになっている。従って、第２部分１９ｂは第１部分よりも僅かに（エンドフレーム３の厚さ分だけ）小さくなっている。また、第１部分１９ａと基部８ａとの間には、若干の寸法の段差が生じている。従って、エンドフレーム３と天板１との間には、若干の（数ｍｍの）間隔が空いている。
【００３３】
図４（Ｂ）に示すように、第２部分１９ｂは、上面と下面とに溝を形成して中間板部１９ｃを有するＨ形の形態を成しており、中間板部１９ｃに、上下に貫通した通し穴２０を空けている。エンドフレーム３と突部１９とに下方からボルト２１を挿通し、このボルト２１を、天板１に設けた雌ネジ穴（鬼目ナット）に捩じ込むことにより、エンドフレーム３と突部１９とが天板１に固定されている。図４（Ｃ）や図５（Ｂ），（Ｃ）に示すように、エンドフレーム３における下面部の端部には、突部１９の中間板部１９ｃに重なるランド部２２を形成している。
【００３４】
３．ブラケットと天板との締結構造
例えば図４に示すように、ブラケット８には、天板１への固定に使用されるボルト挿通穴２３，２４が上下に開口して空けられている。各ボルト挿通穴２３，２４の下部には、ボルトの頭が嵌まる座繰り穴を形成している。
【００３５】
第１ボルト挿通穴２３は、基部８ａの略中央部に形成されている。他方、第２ボルト挿通穴２４は、脊梁部１６の中心線上の位置で突部１９に寄った１つのコーナー部と、脊梁部１６の中心線を挟んだ２つのコーナー部の箇所との合計３か所に形成されている。従って、脚２のブラケット８は、４本のボルト２７（図４（Ａ）参照）で天板１に固定される。これに伴って、天板１の各コーナー部には、４つずつの雌ネジ穴（鬼目ナット）が設けられている。
【００３６】
例えば図３（Ｂ）や図４（Ｃ）に示すように、エンドフレーム３の上面には、台錘状の上向き台座部２８が飛び飛びで複数個膨出形成されており、この台座部２８がボルト５で天板１に固定されている。従って、天板１とエンドフレーム３との間には、台座部２８の突出高さと同じ寸法の隙間が空いている。なお、エンドフレーム３の上面に板材（スペーサ）を溶接等で固定しても、エンドフレーム３と天板１との間に隙間を空けることができる。また、エンドフレーム３のうち各台座部２８の下方部には大きな穴３０が空いており、この穴３０に、上下に開口した樹脂製の筒体３１を装着している。
【００３７】
４.脚の取付け角度の調整
図６に示すように、脚角度調整機構４０は、調整用雌ネジ穴４１と調整用ボルト４２とで構成される調整用ネジを備えている。図６（Ｃ）は、脚角度調整機構４０による角度調整がされていない状態を示し、図６（Ｄ）は、脚角度調整機構４０による角度調整後の状態を示している。
【００３８】
上述のように、脚支柱９の切欠き部１７は、ブラケット８の脊梁部１６の外形よりも大きく切り欠かれている。図６（Ｃ）に示すように、固定用ボルト１５を締め込むと、支柱取付け部１０のフランジ部１０ａと脚支柱９の上端面部９ａとが当接する一方で、切欠き部１７に脊梁部１６がより深く嵌り込む。そして、天板１と平行な面（例えばブラケット８の脊梁部１６の下面）と、脚支柱９の中心線４３とがなす角度θは９０度未満になる。この状態で、脚２が天板１に取り付けられると、脚支柱９は天板１の内側に向かって傾斜した状態になる。なお、図６（Ｃ）では、脚支柱９の傾斜を分かりやすくするために、当該傾斜を誇張して図示している。
【００３９】
図６（Ｄ）に示すように、脚角度調整機構４０の調整用雌ネジ穴４１に調整用ボルト４２を捩じ込み、調整用ボルト４２の先端をナット板１４の上面に押し当てることで、ブラケット８の脊梁部１６側を持ち上げて、角度θを９０度に近づけることができる。すなわち、脚角度調整機構４０は、調整用ボルト４２の捩じ込み具合を調整することで、平面視で固定用ボルト１５及び固定用雌ネジ穴１４ａ（固定用ネジ）とは異なる位置で、支柱取付け部１０（ブラケット８）とナット板１４（ネジ取付部）との間の距離（隙間）を調整して、天板１に対する脚支柱９の直角度を容易に調整できる。
【００４０】
このように、本実施形態のテーブルは、脚角度調整機構４０を用いて脚２のブラケット８とナット板１４との間の広狭を調整することで天板１に対する脚支柱９の取付け角度を容易に調整でき、テーブルを並べた際や壁際に設置した際の脚２周辺の外観を良好にできる。特に、脚２の上下長さが比較的長いハイテーブルにおいては、脚２の傾きの影響が顕著に外観に現れるので、本実施形態は特に有効である。
【００４１】
また、脚角度調整機構４０は、従来構造（ブラケット８と脚支柱９のナット板１４とを固定用ボルト１５で連結してブラケット８を脚支柱９に固定するのと同様の構造）を利用して、調整用雌ネジ穴４１及び調整用ボルト４２（調整用ネジ）を追加するだけで実施可能な調整機構でもある。したがって、大きな投資やコストをかけずに脚角度調整機構４０を追加でき、コスト上昇を抑制しながら、テーブルを並べた際や壁際に設置した際の脚２周辺の外観を良好にできる。
【００４２】
また、本実施形態では、脚２は、脚角度調整機構４０による角度調整がされておらず、かつ固定用ボルト１５及び固定用雌ネジ穴１４ａ（固定用ネジ）が締め付けられた状態で、脚支柱９が天板１の内側に向かって傾斜するように構成されている。つまり、脚角度調整機構４０による角度調整前の状態では、予め決められた方向に脚支柱９が傾斜する。したがって、調整用雌ネジ穴４１及び調整用ボルト４２（調整用ネジ）を１箇所に設けるだけでも、天板１に対する脚支柱９の直角度を良好に調整できる。これにより、天板１に対する脚支柱９の直角度を簡単な構成且つ容易に調整できる。
【００４３】
さらに、本実施形態では、調整用雌ネジ穴４１及び調整用ボルト４２は、固定用ボルト１５及び固定用雌ネジ穴１４ａよりも天板１の内側寄りの位置に設けられている。そして、調整用ボルト４２の捩じ込みによって脚支柱９の直角度が調整されても、支柱取付け部１０のフランジ部１０ａと脚支柱９の上端面部９ａとの間に隙間が形成されにくく、特にテーブルの外側から視認できる箇所に隙間が形成されにくいので、脚２の見栄えが良い。
【００４４】
なお、上記実施形態において、ブラケット８と脚支柱９との固定箇所及び脚角度調整機構４０による調整箇所について、場所や数量は適宜変更可能である。
【００４５】
例えば、図７に示すように、図６に示す構成に対して、支柱取付け部１０の１つの対角線（Ｂ−Ｂ断面位置）を挟む一対の調整用雌ネジ穴４１をさらに設けてもよい。このような構成によれば、３つの調整用雌ネジ穴４１の内の少なくとも１つに調整用ボルト４２を捩じ込んで、ブラケット８の支柱取付け部１０とナット板１４との間の広狭を調整することで、脚支柱９の直角度を調整できる。
【００４６】
また、図８に示すように、支柱取付け部１０及びナット板１４の中央部に固定用ボルト挿通穴１３及び固定用雌ネジ穴１４ａを設ける一方で、固定用ボルト挿通穴１３を囲むように複数の調整用雌ネジ穴４１を設けるようにしてもよい。図８では、正方形の対角線の交点（重心）に固定用ボルト挿通穴１３が配置され、該正方形の各角に調整用雌ネジ穴４１がそれぞれ配置されている。
【００４７】
図８に示す実施形態では、固定用ボルト挿通穴１３に上方から差し込んだ固定用ボルト１５を固定用雌ネジ穴１４ａに捩じ込んで、ブラケット８と脚支柱９とを固定する。そして、４つの調整用雌ネジ穴４１の内の少なくとも１つに調整用ボルト４２を捩じ込んで、ブラケット８の支柱取付け部１０とナット板１４との間の広狭を調整することで、脚支柱９の直角度を調整できる。
【００４８】
図７及び図８に示す各実施形態は、複数の調整用雌ネジ穴４１が設けられていることで、脚支柱９の直角度を複数の方向で調整でき、脚支柱９の直角度をより正確に調整できる。なお、脚支柱９の直角度を調整するに際して、複数の調整用雌ネジ穴４１のそれぞれに調整用ボルト４２を予め捩じ込んでおいて各調整用ボルト４２の捩じ込み具合（ナット板１４への押し当て具合）を調整してもよいし、調整に必要な箇所のみに調整用ボルト４２を捩じ込んでもよい。
【００４９】
なお、図７及び図８に示す各実施形態において、切欠き部１７は、脊梁部１６の外形よりも大きく切り欠かれている。以下に説明する各実施形態において同様である。
【００５０】
また、図９に示すように、図６に示す構成に対して、支柱取付け部１０（ブラケット８）とナット板１４（ネジ取付部）との間に、弾性部材４４を設けてもよい。この実施形態では、弾性部材４４は、固定用雌ネジ穴１４ａよりも天板１のコーナー部寄りの位置に配置されており、弾性部材４４の配置箇所において支柱取付け部１０の下面とナット板１４の上面との間の間隔を広げる方向に作用する。
【００５１】
脚角度調整機構４０による角度調整がされていない状態では、弾性部材４４の作用によって、脚支柱９が天板１の内側に向かって傾斜しやすくなる。そして、調整用雌ネジ穴４１へ調整用ボルト４２が捩じ込まれて脚角度調整機構４０による角度調整が行われる際には、支柱取付け部１０とナット板１４との隙間を調整する一方で、弾性部材４４を変形させることで、天板１に対する脚支柱９の取付け角度を容易に調整できる。
【００５２】
弾性部材４４は、本実施形態ではゴム材料又は金属材料で形成された簡単な形状（例えば板状）の部材であるが、材料や構造はこれに限定されず、支柱取付け部１０の下面とナット板１４の上面との間の間隔を広げる方向に作用するものであればよい。例えば、弾性部材４４は、圧縮コイルバネや板バネ等のバネであってもよいし、圧縮空気や液体などの弾性力を利用したバネ装置であってもよい。以下に説明する実施形態でも同様である。
【００５３】
また、弾性部材４４が配置される位置や個数は適宜変更可能である。例えば、図１０に示すように、図８に示す構成に対して、ナット板１４の上面のほぼ全面を覆う弾性部材４４を配置してもよい。弾性部材４４には、固定用ボルト１５や調整用ボルト４２の捩じ込みに干渉しないように、平面視で固定用雌ネジ穴１４ａ又は調整用雌ネジ穴４１と重なる位置に、開口部４４ａを設けておくことが好ましい。
【００５４】
この実施形態によれば、固定用ボルト１５及び固定用雌ネジ穴１４ａと弾性部材４４の弾性力とによってブラケット８と脚支柱９とを強固に連結した上で、調整用ボルト４２の捩じ込みによって支柱取付け部１０とナット板１４との隙間を調整する一方で弾性部材４４を変形させることで、天板１に対する脚支柱９の取付け角度を容易に調整できる。
【００５５】
次に、図１１を参照しながら、固定用ネジの締付け具合によって脚支柱９の取付け角度を調整可能な脚角度調整機構５０の実施形態について説明する。本実施形態では、脚角度調整機構５０は、２つの固定用ネジ（固定用雌ネジ穴１４ａと固定用ボルト１５）と、２つの弾性部材４４を備えている。
【００５６】
ブラケット８の支柱取付け部１０のボルト受け座１２には、基部８ａと交差する支柱取付け部１０の対角線に沿って、２つの固定用ボルト挿通穴１３が上下に開口している。脚支柱９に固着されたナット板１４には、平面視で２つの固定用ボルト挿通穴１３と重なる位置に、２つの固定用雌ネジ穴１４ａが形成されている。
【００５７】
支柱取付け部１０とナット板１４との間には、固定用雌ネジ穴１４ａに対してナット板１４の周縁部側の位置に、２つの弾性部材４４が配置されている。弾性部材４４は、支柱取付け部１０とナット板１４とに接触しており、両部材の間隔を広げる方向に作用している。
【００５８】
本実施形態では、２つの固定用ネジ（固定用雌ネジ穴１４ａ及び固定用ボルト１５）の締付け力が支柱取付け部１０のフランジ部１０ａと脚支柱９の上端面部９ａとの間に作用する一方で、２つの弾性部材４４の弾性力が支柱取付け部１０及びナット板１４に作用することで、脚支柱９がブラケット８に固定される。なお、本実施形態では、切欠き部１７が脊梁部１６の外形よりも大きく切り欠かれているので、２つの固定用ボルト１５を締め込んだ状態では、脚支柱９が天板１の内側に向かって傾斜した状態になる。
【００５９】
脚角度調整機構５０は、２つの固定用ボルト１５のうちいずれか一方又は両方の締付け具合を調整することで、脚支柱９の直角度を調整できる。例えば、２つの固定用ボルト１５を締め込んだ状態で脚支柱９が天板１の内側に向かって傾斜するのであれば、２つの固定用ボルト１５のうち天板１の内側（基部８ａ側）に位置する方の固定用ボルト１５を緩めることで、弾性部材４４の弾性力によってナット板１４の天板１内側寄り部位と支柱取付け部１０との間の距離（隙間）が広がり、脚支柱９の直角度が調整される。逆に、２つの固定用ボルト１５を締め込んだ状態で脚支柱９が天板１の外側に向かって傾斜するのであれば、２つの固定用ボルト１５のうち天板１の外側（基部８ａとは反対側）に位置する方の固定用ボルト１５を緩めればよい。
【００６０】
このように、本実施形態では、脚角度調整機構５０は、固定用ネジを構成する固定用雌ネジ穴１４ａ及び固定用ボルト１５と、ブラケット８とナット板１４との間に配置される弾性部材４４とを備え、固定用ボルト１５の捩じ込み具合（固定用ネジの締付け具合）によって弾性部材４４を変形させることで、ブラケット８とナット板１４との間の広狭を調整できるので、天板１に対する脚支柱９の取付け角度を容易に調整できるとともに、簡単な構成で脚角度調整機構５０を実現できる。
【００６１】
なお、脚角度調整機構５０を構成する固定用ネジ（固定用雌ネジ穴１４ａ及び固定用ボルト１５）並びに弾性部材４４の配置箇所や数量は適宜変更可能である。
【００６２】
例えば、図１２に示すように、平面視で支柱取付け部１０及びナット板１４の中央部に１組の固定用雌ネジ穴１４ａ及び固定用ボルト１５（固定用ネジ）を設ける一方で、固定用雌ネジ穴１４ａに対して天板１の内側（基部８ａ側）寄りの位置に弾性部材４４を配置して、脚角度調整機構５０を構成してもよい。また、切欠き部１７は脊梁部１６の外形よりも大きく切り欠かれており、固定用ボルト１５を締め込んだ状態では、脚支柱９が天板１の内側に向かって傾斜した状態になる。 そして、固定用ボルト１５を緩めるように固定用ボルト１５の締め込み具合を調整することで、弾性部材４４の弾性力によってナット板１４の天板１内側寄り部位と支柱取付け部１０との間の距離（隙間）が広がり、脚支柱９の直角度を調整できる。
【００６３】
図１１及び図１２に示す各脚角度調整機構５０は、１本又は複数本の固定用ボルト１５でブラケット８と脚支柱９とを固定する構造に、弾性部材４４を追加するだけで実現可能なので、既存の構造を利用して実現可能であり、大きな投資やコストをかけずに脚角度調整機構５０を追加できる。
【００６４】
また、図１３に示すように、支柱取付け部１０及びナット板１４の複数個所に固定用ボルト挿通穴１３及び固定用雌ネジ穴１４ａを設けるようにしてもよい。図１３では、正方形の対角線の交点（重心）と、該正方形の各角に固定用ボルト挿通穴１３及び固定用雌ネジ穴１４ａがそれぞれ設けられている。また、支柱取付け部１０とナット板１４との間には、ナット板１４の上面のほぼ全面を覆う弾性部材４４が配置されている。弾性部材４４には、固定用ボルト１５の捩じ込みに干渉しないように、平面視で固定用雌ネジ穴１４ａと重なる位置に、開口部４４ａが設けられている。
【００６５】
図１３に示す実施形態では、中央の固定用ボルト挿通穴１３に上方から差し込んだ固定用ボルト１５を固定用雌ネジ穴１４ａに捩じ込んで、ブラケット８と脚支柱９とを固定した上で、周囲の４つの固定用雌ネジ穴１４ａの内の少なくとも１つに固定用ボルト１５を捩じ込んで、ブラケット８の支柱取付け部１０とナット板１４との間の広狭を調整することで、脚支柱９の直角度をあらゆる方向で調整できる。
【００６６】
図１３に示す実施形態において、複数の固定用ボルト挿通穴１３及び固定用雌ネジ穴１４ａのそれぞれに固定用ボルト１５を予め捩じ込んでおいて各固定用ボルト１５の締め込み具合を調整してもよいし、ブラケット８と脚支柱９との固定及び脚支柱９の取付け角度調整に必要な箇所のみに固定用ボルト１５を捩じ込んでもよい。
【００６７】
なお、脚角度調整機構５０において、固定用雌ネジ穴１４ａ及び固定用ボルト１５（固定用ネジ）の個数及び配置は、上記実施形態に限定されず、例えば３つの固定用ネジを平面視で三角形の頂点に配置することも可能である。
【００６８】
上記の各実施形態では、脚２のブラケット８と脚支柱９とを連結する固定用ネジは、固定用ボルト１５と、ナット板１４に形成された固定用雌ネジ穴１４ａとで構成されているが、図１４に示すように、ナット板１４（ネジ取付部）に上向きに設けられた固定用植込みボルト６１と、ボルト受け座１２の上で固定用植込みボルト６１に捩じ込まれる固定用ナット６２とで構成されていてもよい。
【００６９】
例として、図１４（Ａ）は、図６に示す実施形態の固定用ボルト１５を固定用植込みボルト６１及び固定用ナット６２に変更した構造を示し、図１４（Ｂ）は、図１１に示す実施形態の固定用ボルト１５を固定用植込みボルト６１及び固定用ナット６２に変更した構造を示している。なお、固定用ネジを固定用植込みボルト６１及び固定用ナット６２で構成する構造は、上記で説明した各実施形態のいずれにも適用可能である。また、固定用植込みボルト６１に替えて、下方から固定用雌ネジ穴１４ａに捩じ込んだ頭部を有するボルトを設けてもよい。
【００７０】
また、図１５に示すように、調整用雌ネジ穴４１の内径を固定用ボルト１５のネジ部の外径よりも大きく形成し、ナット板１４において平面視で調整用雌ネジ穴４１と重なる位置に固定用雌ネジ穴１４ａを形成してもよい。この実施形態は、調整用雌ネジ穴４１の形成箇所を、調整用雌ネジ穴４１に上方から挿通した固定用ボルト１５を固定用雌ネジ穴１４ａに捩じ込んで固定箇所として利用できる一方、調整用雌ネジ穴４１に上方から調整用ボルト４２を捩じ込んで調整箇所としても利用できる。
【００７１】
このように、図１５に示した実施形態の脚角度調整機構７０は、固定用ボルト１５による固定箇所と、調整用ボルト４２による調整箇所とを適宜選択でき、脚支柱９の直角度を調整可能な方向を選択可能になっている。なお、調整用ボルト４２は、そのネジ部の外径が固定用雌ネジ穴１４ａの内径よりも大きいものであり、固定用雌ネジ穴１４ａに捩じ込まれることはなく、調整用ボルト４２の先端をナット板１４に押し当て可能になっている。
【００７２】
また、脚角度調整機構７０は、複数本の固定用ボルト１５でブラケット８と脚支柱９とを固定する構造に対して、固定用ボルト挿通穴を調整用雌ネジ穴４１に加工するだけで実現可能なので、既存の構造を利用して実現可能であり、大きな投資やコストをかけずに脚角度調整機構７０を追加できる。
【００７３】
また、脚角度調整機構７０において、支柱取付け部１０とナット板１４との間に弾性部材４４を配置してもよい。また、調整用雌ネジ穴４１及び固定用雌ネジ穴１４ａの形成箇所を固定箇所又は調整箇所に選択可能な構成は、上記で説明した各実施形態のいずれにも適用可能である。
【００７４】
以上、本願発明の実施形態を説明したが、本願発明は他にも様々に具体化できる。例えば、脚２の脚支柱９は、角管状のものに限定されず、上下に延びる外形を有するものであればよく、例えば丸管状のものであってもよい。
【符号の説明】
【００７５】
１  天板
２  脚
８  ブラケット
９  脚支柱
１４  ナット板（ネジ取付部）
１４ａ  固定用雌ネジ穴（固定用ネジ）
１５  固定用ボルト（固定用ネジ）
４０  脚角度調整機構
４１  調整用雌ネジ穴（調整用ネジ）
４２  調整用ボルト（調整用ネジ）
４４  弾性部材
５０  脚角度調整機構
６１  固定用植込みボルト（固定用ネジ）
６２  固定用ナット（固定用ネジ）
７０  脚角度調整機構
【図１】
2019165844.tif 000003
【図２】
2019165844.tif 000004
【図３】
2019165844.tif 000005
【図４】
2019165844.tif 000006
【図５】
2019165844.tif 000007
【図６】
2019165844.tif 000008
【図７】
2019165844.tif 000009
【図８】
2019165844.tif 000010
【図９】
2019165844.tif 000011
【図１０】
2019165844.tif 000012
【図１１】
2019165844.tif 000013
【図１２】
2019165844.tif 000014
【図１３】
2019165844.tif 000015
【図１４】
2019165844.tif 000016
【図１５】
2019165844.tif 000017